(57)【特許請求の範囲】
【請求項１】
携帯電話機を入れることで、携帯電話基地局からの電波を遮り前記携帯電話機が着信することを防ぐ携帯電話機用収納袋において、
樹脂にアルミ蒸着膜を形成したアルミ蒸着樹脂から成り、かつ、前記携帯電話機を収納するために形成した収納部を有する内袋と、アルミ箔を樹脂に貼り付けて形成したアルミ張り付け樹脂から袋状に形成し、かつ、前記収納部内に前記携帯電話機を収納した状態の前記内袋を、縦方向および横方向に折り返して前記携帯電話機を包み込み、この状態で前記内袋および前記携帯電話機を収納する外袋とから構成したことを特徴とする携帯電話機用収納袋。
【請求項２】
前記内袋は、四角形に形成したアルミ蒸着樹脂を縦方向の一部を内側に折り返し、前記折り返した部分に横方向で対向した一対の熱溶着部を形成し、前記一対の熱溶着部間に位置する前記折り返し部によって挿入口を有する前記収納部を形成したことを特徴とする請求項１記載の携帯電話機用収納袋。
【発明の詳細な説明】
【技術分野】
【０００１】
本発明は、携帯電話基地局からの電波を遮り携帯電話機が着信することを防ぐ携帯電話幾用収納袋に関する。
【背景技術】
【０００２】
携帯電話機が広く普及した昨今、劇場、映画館、美術館、レストラン、コンサート会場、受験会場などのように一定の場内雰囲気を保つために、携帯電話機の使用を阻止するものが必要とされている。この種のものとして従来、携帯電話機を収納可能な袋本体を設け、この袋本体に入れた携帯電話機が発生する電磁波を遮断する電磁波シールド部材を設けたもの（例えば、特許文献１参照）や、携帯電話機の電磁波を遮断する機能を持った布を使用して作った収納袋に携帯電話機を入れて圏外状態とするものが提案されている（例えば、特許文献２参照）。
【先行技術文献】
【特許文献】
【０００３】
【特許文献１】特開平１０−２３９１３号公報
【特許文献２】実用新案登録３１３９３４０号
【発明の概要】
【発明が解決しようとする課題】
【０００４】
しかしながら、前述した従来の特許文献１に示されたものでは、携帯電話機が発生する電磁波を遮断する点で効果的であるものの、コストが掛かるという課題があった。また、特許文献２に示されたものでは、携帯電話機の電波を遮断する機能を持った布を用いて携帯電話機用収納袋を作成するとしているが、実際にどのような素材で携帯電話機用収納袋を作成するかについては言及されていなかった。
【０００５】
本発明の目的は、低コストで携帯電話基地局からの電波を確実に遮り携帯電話機が着信することを防ぐことのできる携帯電話機用収納袋を提供することにある。
【課題を解決するための手段】
【０００６】
前記目的を達成するために、本発明は、携帯電話機を入れることで、携帯電話基地局からの電波を遮り前記携帯電話機が着信することを防ぐ携帯電話機用収納袋において、樹脂にアルミ蒸着膜を形成したアルミ蒸着樹脂から成り、かつ、前記携帯電話機を収納するために形成した収納部を有する内袋と、アルミ箔を樹脂に貼り付けて形成したアルミ張り付け樹脂から袋状に形成し、かつ、前記収納部内に前記携帯電話機を収納した状態の前記内袋を、縦方向および横方向に折り返して前記携帯電話機を包み込み、この状態で前記内袋および前記携帯電話機を収納する外袋とから構成したことを特徴とする。
【０００７】
このような携帯電話機用収納袋によれば、内袋は、比較的に薄く、簡単に折り返して包むことができるアルミ蒸着樹脂の特徴を生かして、縦方向および横方向にそれぞれ折りたたんでいるため、電波通過部は、内袋の折りたたんだ部分によって完全に覆われている。同電波通過部の遮蔽は、他の遮蔽物を新たに追加するものではなく、また外袋のアルミ箔の厚みを増大するものでもないので、一般的に市販されているアルミ蒸着樹脂を使用して内袋を用い、簡単な構成で、携帯電話基地局からの電波に対して遮蔽状態にした携帯電話機用収納袋を実現することができる。
【０００８】
また本発明は、内装として、四角形に形成したアルミ蒸着樹脂を縦方向の一部を内側に折り返し、この折り返した部分に横方向で対向した一対の熱溶着部を形成し、一対の熱溶着部間に位置する折り返し部によって挿入口を有する収納部を形成したことを特徴とする。
【０００９】
このような構成の携帯電話機用収納袋によれば、三方の外周部に熱溶着部を形成した場合に比べて、電波通過部を形成する可能性の高い熱溶着部を少なくし、かつ、四角形に形成したアルミ蒸着樹脂の中心側に寄せて熱溶着部を配置することができるので、内袋を、縦方向および横方向に折り返して携帯電話機を包み込むと、熱溶着部も確実に内側に包み込んで電波を完全に遮蔽することができる。
【発明の効果】
【００１０】
本発明によれば、内袋は、比較的に薄く、簡単に折り返して包むことができるアルミ蒸着樹脂の特徴を生かして、縦方向および横方向にそれぞれ折りたたんでいるため、電波通過部は、内袋の折りたたんだ部分によって完全に覆われている。同電波通過部の遮蔽は、他の遮蔽物を新たに追加するものではなく、また外袋のアルミ箔の厚みを増大するものでもないので、一般的に市販されているアルミ蒸着樹脂を使用して内袋を用い、簡単な構成で、携帯電話基地局からの電波に対して遮蔽状態にした携帯電話機用収納袋を実現することができる。
【図面の簡単な説明】
【００１１】
【図１】本発明の一実施例による携帯電話機用収納袋の内袋を示す平面図である。
【図２】携帯電話機用収納袋の外袋を示す平面図である。
【図３】図１に示した内袋内に携帯電話機を収納した状態を示す平面図である。
【図４】図３に示した内袋の折りたたみ初期状態を示す平面図である。
【図５】図３に示した内袋の折りたたみ途中状態を示す平面図である。
【図６】折りたたんだ状態の内袋を収納した外袋の平面図である。
【図７】内袋の熱溶着部を示す拡大断面図である。
【図８】本発明の他の実施例による携帯電話機用収納袋の内袋を示す平面図である。
【発明を実施するための形態】
【００１２】
以下、本発明の実施の形態を図面に基づいて説明する。
【実施例１】
【００１３】
本実施の形態による携帯電話機用収納袋は、図１に示した内袋１と、図２に示した外袋２とからなる。
【００１４】
図１に示した内袋１は、樹脂に蒸着によってアルミニウムの蒸着膜を形成したアルミ蒸着樹脂から構成されている。例えば、厚さ１２μ程度のＰＥＴ樹脂に厚さ４００〜８００オングストローム程度のアルミニウムの蒸着膜を形成し、さらに接着剤を介して厚さ５０μ程度のＰＥ樹脂を貼り付けてアルミ蒸着樹脂を構成している。このようなアルミ蒸着樹脂を四角形に加工した後、その下方部を上方へ折り返し、この折り返した部分に横方向で対向した一対の熱溶着部４，５を形成し、この一対の熱溶着部４，５間に位置する折り返し部によって挿入口３を有する収納部６を形成している。
【００１５】
折り返し部を利用しているため、四角形のアルミ蒸着樹脂の中央側には、上方に向かって開いた幅Ｌ３の挿入口３を簡単に形成することができる。収納部６の下方はアルミ蒸着樹脂の折り返し部によって封じられ、また、収納部６の横方向は、一対の熱溶着部４，５によって封じている。これによって、内袋１は、縦寸法Ｌ１、横寸法Ｌ２の四角形状に成され、その下方部には挿入口３から図示していないスマートフォンを含む携帯電話機を挿入して収納可能な収納部６を有した構成としている。
【００１６】
これに対して図２に示した外袋２は、アルミニウムを圧延して薄紙状したアルミ箔を樹脂に貼り付けて形成したアルミ張り付け樹脂から構成している。例えば、厚さ７μ程度のアルミ箔を貼り付けてアルミ張り付け樹脂を構成し、このアルミ張り付け樹脂を二枚重ねてその下方と左右の三方外周縁部に熱溶着部７を形成して封じ、上方に挿入口８を有した袋状にしている。挿入口８の近傍には開閉可能なチャック９を設けている。
【００１７】
次に、上述した二枚の内袋１および外袋２を用いて携帯電話機を収納する方法について説明する。
【００１８】
先ず、会場への入場者を管理する管理者は、会場の出入口で利用者に内袋１および外袋２の組合せからなる携帯電話機用収納袋を渡す。携帯電話機用収納袋を受け取った利用者は、自分の携帯電話機を取り出し、図３に示すように内袋１の中央寄りに形成した挿入口３から携帯電話機１０を挿入して収納部６に収納する。
【００１９】
次いで、図４に示すように携帯電話機１０の両横側辺りで縦方向の折り目１１，１２が付くように、内袋１の左右をそれぞれ矢印方向の内側に折りたたむ。折りたたんだ後の横寸法はＬ３であり、図１に示した初期状態の横寸法Ｌ２に比べて小さくなる。
【００２０】
その後、図５に示すように横方向の折り目１３，１４が付くように内袋１を縦方向に何度か折りたたむ。矢印方向に折りたたんだ後の最終的な縦寸法Ｌ４は、図１に示した初期状態の縦寸法Ｌ１に比べて三分の一程度に小さくなっている。
【００２１】
このように内袋１の縦方向および横方向にそれぞれ何度か折りたたむと、図２に示した外袋に比べて十分小さくなる。そこで、利用者は、図６に示すように携帯電話機１０を収納して折りたたんだ内袋１を外袋２のチャック９を開いて挿入口８から内部に挿入し、チャック９を閉じる。折りたたんだ内袋１は、十分に小さくなっており、外袋２の挿入口８から容易に外袋２内に入れることができる。携帯電話機１０を収納して折りたたんだ内袋１に比べて、外袋２が十分に大きい場合は、外袋２の縦方向で軽く二つ折りにしても良い。利用者は、内袋１と外袋２からなる携帯電話機用収納袋を自分のカバンなどに入れて会場内に入る。
【００２２】
このようにして、利用者は、携帯電話基地局からの電波に対して遮蔽状態にした携帯電話機１０および携帯電話機用収納袋を所持して会場内に入ることにより、携帯電話基地局からの電波を携帯電話機１０が着信することを強制的に阻止することができ、会場内にて携帯電話機１０の着信音が鳴ることを防ぐことができる。
【００２３】
ところで、上述した内袋１は、一般的に市販されているアルミ蒸着樹脂から構成されているため、簡単に入手することができる。また、一般的なアルミ蒸着樹脂を用いて袋状に加工するとき、熱溶着部４，５が形成される。このような熱溶着部４，５を形成した内袋１に、携帯電話機１０としてのスマートフォンを入れた場合、携帯電話基地局からの電波が熱溶着部４，５から通過する可能性があることが分かった。
【００２４】
これを図７に示した内袋１の拡大断面図を用いて説明する。
【００２５】
アルミ蒸着樹脂１５は、厚さ１２μ程度のＰＥＴ樹脂１５Ａに厚さ４００〜８００オングストローム程度のアルミニウムの蒸着膜１５Ｂを形成し、さらに接着剤１５Ｃを介して厚さ５０μ程度のＰＥ樹脂１５Ｄを貼り付けて構成している。また、アルミ蒸着樹脂１６は、厚さ１２μ程度のＰＥＴ樹脂１６Ａに厚さ４００〜８００オングストローム程度のアルミニウムの蒸着膜１６Ｂを形成し、さらに接着剤１６Ｃを介して厚さ５０μ程度のＰＥ樹脂１６Ｄを貼り付けて構成している。二枚のアルミ蒸着樹脂１５，１６を重ねて熱溶着部を形成すると、図７に示すように二枚のアルミ蒸着樹脂１５，１６の積層方向の中央境界近傍に、アルミ蒸着樹脂１５における接着剤１５ＣおよびＰＥ樹脂１５Ｄと、アルミ蒸着樹脂１６における接着剤１６ＣおよびＰＥ樹脂１６Ｄとが集中してしまう。ＰＥ樹脂１５Ｄ，１６Ｄの厚さがそれぞれ５０μ程度であるため、中央境界近傍の厚みは、熱溶着後でも８０μ程度である。この中央境界近傍は、電波の遮蔽効果を持つアルミ蒸着膜がない部分であるため、携帯電話基地局からの電波が通過する電波通過部を形成してしまうものと考えられる。
【００２６】
しかしながら、内袋１は、比較的に薄く、簡単に折り返して包むことができるアルミ蒸着樹脂の特徴を生かして、図５に示すように縦方向および横方向にそれぞれ折りたたんでいる。このため、上述した電波通過部は、内袋１の折りたたんだ部分によって完全に覆われている。折りたたんだ内袋１によって、２ＧＨｚ帯の電波を効果的に、かつ確実に遮断することができる。同電波通過部の遮蔽は、他の遮蔽物を新たに追加するものではなく、また外袋２のアルミ箔の厚みを増大するものでもないので、一般的に市販されているアルミ蒸着樹脂を使用して内袋１を用い、簡単な構成で、携帯電話基地局からの電波に対して遮蔽状態にした携帯電話機用収納袋を実現することができる。
【００２７】
内袋１の大きさと折り返しの数を多くすることによって、簡単に同電波通過部を何重にも遮蔽することができる。従って、同電波通過部の遮蔽効果を十分期待するには、外袋２内に収納することになる内袋１を、外袋２に対して十分大きなものとし、内袋１を縦方向および横方向にそれぞれ折りたたまないと、外袋２内に収納することができないようにすると良い。
【００２８】
一方、内袋１を収納した外袋２は、アルミ張り付け樹脂を二枚重ねてその縁部を熱溶着した熱溶着部７を形成しているが、この熱溶着部７は、内袋１とは構造的に異なる。従って、外袋２は、同様の電波通過の問題を持っていないので、特に、８００ＭＨｚ帯の電波を効果的に遮断することができる。この外袋２は、内袋１の使用形態を変えても、これまでと同様の構成で良いから、内袋１および外袋２の組合せによって構成を複雑にすることもなく、全体として安価な携帯電話機用収納袋を実現できる。
【００２９】
また、図１に示した内袋１は、四角形に形成したアルミ蒸着樹脂を縦方向の一部を内側に折り返し、この折り返した部分に横方向で対向した一対の熱溶着部４，５を形成し、一対の熱溶着部４，５間に位置する折り返し部によって挿入口３を有する収納部６を形成している。このような構成の携帯電話機用収納袋によれば、三方の外周部に熱溶着部を形成した場合に比べて、電波通過部を形成する可能性の高い熱溶着部４，５を少なくし、かつ、四角形に形成したアルミ蒸着樹脂の中心側に寄せて熱溶着部４，５を配置することができるので、内袋１を、縦方向および横方向に折り返して携帯電話機１０を包み込むと、熱溶着部４，５も確実に内側に包み込んで電波を完全に遮蔽することができる。
【実施例２】
【００３０】
図８は、本発明の他の実施例による携帯電話機用収納袋の内袋１を示す平面図である。
【００３１】
この内袋１は、先の実施例の場合と同様に、樹脂に蒸着によってアルミニウムの蒸着膜を形成したアルミ蒸着樹脂を使用して構成されている。例えば、厚さ１２μ程度のＰＥＴ樹脂に厚さ４００〜８００オングストローム程度のアルミニウムの蒸着膜を形成し、さらに接着剤を介して厚さ５０μ程度のＰＥ樹脂を貼り付けてアルミ蒸着樹脂を使用している。
【００３２】
このアルミ蒸着樹脂を二枚重ね、下方部と、左右部の三方外周部を熱溶着によって結合した熱溶着部７Ａ，７Ｂ，７Ｃを形成している。その後、上側に重ねたアルミ蒸着樹脂のみに横方向切断部１７を形成している。この横方向切断部１７は、その下方部に形成した収納部６への携帯電話機の挿入口となる。さらに、横方向切断部１７から携帯電話機の挿入を容易にするために、上側に重ねたアルミ蒸着樹脂のほぼ中間部に、上方端部から縦方向に伸びて横方向切断部１７に達する縦方向切断部１８を形成している。
【００３３】
このように加工した内袋１の各熱溶着部７Ａ，７Ｂ，７Ｃは、図７で説明したような電波通過部を形成してしまう可能性がある。しかしながら、この内袋１を使用した場合でも、収納部６内に携帯電話機１０を収納した後、図３から図５で説明したのと同様に内袋１を折りたたむと、各熱溶着部７Ａ，７Ｂ，７Ｃは、内袋１の折りたたんだ部分によって完全に覆われる。従って、電波通過部による問題は解決され、電波を効果的に、かつ確実に遮断することができる。
【００３４】
アルミ蒸着樹脂を使用した内袋１は、比較的に薄く、簡単に折り返して包むことができる。このアルミ蒸着樹脂の特徴を生かして、縦方向および横方向にそれぞれ折りたたんでいる。このため、上述した電波通過部は、内袋１の折りたたんだ部分によって簡単に覆うことができる。この場合も、他の遮蔽物を新たに追加するものではなく、また外袋２のアルミ箔の厚みを増大するものでもないので、一般的に市販されているアルミ蒸着樹脂を使用して内袋１を用い、簡単な構成で、携帯電話基地局からの電波に対して遮蔽状態にした携帯電話機用収納袋を実現することができる。
【００３５】
以上説明したように本発明は、携帯電話機１０を入れることで、携帯電話基地局からの電波を遮り携帯電話機１０が着信することを防ぐ携帯電話機用収納袋において、樹脂にアルミ蒸着膜を形成したアルミ蒸着樹脂から成り、かつ、携帯電話機１０を収納するために形成した収納部６を有する内袋１と、アルミ箔を樹脂に貼り付けて形成したアルミ張り付け樹脂から袋状に形成し、かつ、収納部６内に携帯電話機１０を収納した状態の内袋１を、縦方向および横方向に折り返して携帯電話機１０を包み込み、この状態で内袋１および携帯電話機１０を収納する外袋２とから構成したことを特徴とする。
【００３６】
このような構成の携帯電話機用収納袋によれば、内袋１は、比較的に薄く、簡単に折り返して包むことができるアルミ蒸着樹脂の特徴を生かして、縦方向および横方向にそれぞれ折りたたんでいるため、電波通過部は、内袋１の折りたたんだ部分によって完全に覆われている。同電波通過部の遮蔽は、他の遮蔽物を新たに追加するものではなく、また外袋２のアルミ箔の厚みを増大するものでもないので、一般的に市販されているアルミ蒸着樹脂を使用して内袋１を用い、簡単な構成で、携帯電話基地局からの電波に対して遮蔽状態にした携帯電話機用収納袋を実現することができる。
【００３７】
また本発明は、内袋１として、四角形に形成したアルミ蒸着樹脂を縦方向の一部を内側に折り返し、この折り返した部分に横方向で対向した一対の熱溶着部４，５を形成し、一対の熱溶着部４，５間に位置する折り返し部によって挿入口３を有する収納部６を形成したことを特徴とする。
【００３８】
このような構成の携帯電話機用収納袋によれば、三方の外周部に熱溶着部を形成した場合に比べて、電波通過部を形成する可能性の高い熱溶着部４，５を少なくし、かつ、四角形に形成したアルミ蒸着樹脂の中心側に寄せて熱溶着部４，５を配置することができるので、内袋１を、縦方向および横方向に折り返して携帯電話機１０を包み込むと、熱溶着部４，５も確実に内側に包み込んで電波を完全に遮蔽することができる。
【符号の説明】
【００３９】
１  内袋
２  外袋
３  挿入口
４，５  熱溶着部
６  収納部
１０  携帯電話機
１１〜１４  折り返し部
１７  横方向切断部
１８  縦方向切断部
【図１】
0005930856.tif 000002
【図２】
0005930856.tif 000003
【図３】
0005930856.tif 000004
【図４】
0005930856.tif 000005
【図５】
0005930856.tif 000006
【図６】
0005930856.tif 000007
【図７】
0005930856.tif 000008
【図８】
0005930856.tif 000009